(57)【要約】  足首の外果および内果の上で隣接して着用されるように構成された後部導入式アンクルカフと、アンクルカフから前方および下方に延びる、踵開放型、踝開放型およびつま先開放型の中足部材とを含むアンクルサポート。
2017521145.tif 000002
【特許請求の範囲】
【請求項１】
足首の外果および内果の上で隣接して着用されるように構成された後部導入式アンクルカフと、
前記アンクルカフから前方および下方に延びる、踵開放型、踝開放型およびつま先開放型の中足部材と
を含むアンクルサポート。
【請求項２】
前記中足部材は、それぞれ前記外果および前記内果の前で、前記アンクルカフから前方および下方に延びる外側および内側部材を含む、請求項１に記載のアンクルサポート。
【請求項３】
前記外側および内側部材は、前記外果および前記内果の下で後方に、前記足首の足の踵に向かってさらに延びる、請求項２に記載のアンクルサポート。
【請求項４】
前記外側および内側部材の後方部分は、前記踵のまわりに延びるヒールストラップによって、互いに解放可能、調整可能に連結される、請求項３に記載のアンクルサポート。
【請求項５】
前記外側および内側部材の一方または両方の下部中足部分は、前記足の前記踵と第５中足骨との間の前記足の土踏まずの下に延びて、互いに調整可能、解放可能に連結できるように構成される、請求項２に記載のアンクルサポート。
【請求項６】
前記外側および内側部材の前記下部中足部分は、前記足の下または前記足の内側のいずれかで、かつ靴の中または外のいずれかにおいて、互いに調整可能、解放可能に連結することができる、請求項５に記載のアンクルサポート。
【請求項７】
前記外側および内側部材の前記下部中足部分が前記靴の外で互いに調整可能、解放可能に連結できる場合に、前記靴用のスパッツである、請求項６に記載のアンクルサポート。
【請求項８】
前記外側および内側部材は、前記下部中足部分のそれぞれの重なり端に型成形された面ファスナストリップによって、互いに調整可能、解放可能に連結することができる、請求項５に記載のアンクルサポート。
【請求項９】
前記外側および内側部材の一方の前記下部中足部分を貫通するスロットが設けられ、かつ前記外側および内側部材の他方の前記下部中足部分にプルタブが設けられ、前記スロットを通して前記プルタブを引っ張ることで、互いに押し当て合った前記内側および外側部材に調整可能な張力がかかる、請求項５に記載のアンクルサポート。
【請求項１０】
前記アンクルカフおよび前記中足部材は、一体の一部品構成を有する、請求項１に記載のアンクルサポート。
【請求項１１】
前記アンクルカフおよび前記中足部材は、弾性変形可能なポリマー材料で一緒に一体成形される、請求項１０に記載のアンクルサポート。
【請求項１２】
前記弾性変形可能なポリマー材料は、熱可塑性ウレタン（ＴＰＵ）である、請求項１１に記載のアンクルサポート。
【請求項１３】
前記アンクルカフの内面と、前記外側および内側部材の上部内面とに接着されたパッドをさらに含む、請求項１に記載のアンクルサポート。
【請求項１４】
前記パッドは、ＥＶＡ（エチレンビニルアセテートコポリマー）発泡体を含む、請求項１３に記載のアンクルサポート。
【請求項１５】
前記外側および内側部材の下部内面に重なるように、前記パッドから下方に延びる自由浮動ライナをさらに含む、請求項１３に記載のアンクルサポート。
【請求項１６】
前記ライナは、ネオプレンを含む、請求項１５に記載のアンクルサポート。
【発明の詳細な説明】
【技術分野】
【０００１】
分野
[0001]本発明は、動きおよび快適性が改善された機能性アンクルサポートに関する。
【背景技術】
【０００２】
背景
[0002]足の内方（内反）または外方（外反）回転による足首の捻挫は、最もよくあるタイプの筋骨格外傷である。足首を捻挫した多くの人は、続いて、足首が慢性的に不安定になる。
【０００３】
[0003]従来の機能性アンクルサポートには様々な欠点がある。怪我後に付けるスターラップ（stirrup）および編み上げアンクルブレースは、足関節および足の自然な動きを制限し、したがって、スポーツにおける運動能力を低下させる。さらに、怪我後に付けるスターラップおよび編み上げアンクルブレースは使い心地が悪く、そのため、足首の怪我を治療するために、通常、短期間の間のみ着用される。したがって、従来のアンクルブレースは、足首を機能的に支持するが、自然な動きおよび快適性を犠牲にする。その結果、従来のアンクルブレースは、スポーツおよび他の活動での足首の怪我を防止するために、日常の保護具として着用するのに通常適さない。
【発明の概要】
【発明が解決しようとする課題】
【０００４】
[0004]これに関連して、自然な動きおよび快適性を犠牲にすることなく、足首を機能的に支持するアンクルブレースが必要である。
【課題を解決するための手段】
【０００５】
概要
[0004]本発明によれば、
足首の外果および内果の上で隣接して着用されるように構成された後部導入式アンクルカフと、
アンクルカフから前方および下方に延びる、踵開放型、踝開放型およびつま先開放型の中足部材と
を含むアンクルサポートが提供される。
【０００６】
[0005]中足部材は、それぞれ外果および内果の前で、アンクルカフから前方および下方に延びる外側および内側部材を含むことができる。
【０００７】
[0007]外側および内側部材は、外果および内果の下で後方に、足首の足の踵に向かってさらに延びることができる。外側および内側部材の後方部分は、踵のまわりに延びるヒールストラップによって、互いに解放可能、調整可能に連結され得る。
【０００８】
[0008]外側および内側部材の一方または両方の下部中足部分は、足の踵と第５中足骨との間の足の土踏まずを囲んでかつ土踏まずの下に延びて、互いに調整可能、解放可能に連結できるように構成され得る。外側および内側部材の下部中足部分は、足の下または足の内側のいずれかで、かつ靴の中または外のいずれかにおいて、互いに調整可能、解放可能に連結することができ得る。外側および内側部材の下部中足部分が靴の外で互いに調整可能、解放可能に連結できる場合に、アンクルサポートは靴用のスパッツであり得る。
【０００９】
[0009]外側および内側部材は、下部中足部分のそれぞれの重なり端に型成形された面ファスナストリップによって、互いに調整可能、解放可能に連結することができる。
【００１０】
[0010]外側および内側部材の一方の下部中足部分を貫通するスロットが設けられ得、かつ外側および内側部材の他方の下部中足部分にプルタブが設けられ得、スロットを通してプルタブを引っ張ることで、互いに押し当て合った内側および外側部材に調整可能な張力がかかる。
【００１１】
[0011]アンクルカフおよび中足部材は、一体の一部品構成を有し得る。アンクルカフおよび中足部材は、弾性変形可能なポリマー材料で一緒に一体成形され得る。弾性変形可能なポリマー材料は、熱可塑性ウレタン（ＴＰＵ）であり得る。
【００１２】
[0012]アンクルサポートは、アンクルカフの内面と、外側および内側部材の上部内面とに接着されたパッドをさらに含むことができる。パッドは、ＥＶＡ（エチレンビニルアセテートコポリマー）発泡体を含むことができる。
【００１３】
[0013]アンクルサポートは、外側および内側部材の下部内面に重なるように、パッドから下方に延びる自由浮動ライナをさらに含むことができる。ライナは、ネオプレンを含むことができる。
【００１４】
図面の簡単な説明
[0014]本発明の実施形態が、添付図面を参照して単なる一例として以下に説明される。
【図面の簡単な説明】
【００１５】
【図１】本発明の実施形態によるアンクルサポートの正面斜視図である。
【図２】本発明の実施形態によるアンクルサポートの分解斜視図である。
【図３】アンクルサポートの端面図である。
【図４】アンクルサポートの側面図である。
【図５】アンクルサポートの端面図である。
【図６】アンクルサポートの側面図である。
【図７】アンクルサポートの平面図である。
【図８】アンクルサポートの底面図である。
【図９】平らに広げた状態のアンクルサポートの内部の平面図である。
【図１０】靴用のスパッツとして構築されたアンクルサポートの正面斜視図である。
【図１１】靴用のスパッツとして構築されたアンクルサポートの分解斜視図である。
【図１２】使用時の第１の位置におけるアンクルサポートの端面図である。
【図１３】使用時の第１の位置におけるアンクルサポートの側面図である。
【図１４】使用時の第２の位置におけるアンクルサポートの端面図である。
【図１５】使用時の第２の位置におけるアンクルサポートの側面図である。
【図１６】使用時の第３の位置におけるアンクルサポートの端面図である。
【図１７】使用時の第３の位置におけるアンクルサポートの側面図である。
【図１８】使用時の第４の位置におけるアンクルサポートの端面図である。
【図１９】使用時の第４の位置におけるアンクルサポートの正面図である。
【図２０】着用者の足首および足へのアンクルサポートの取付けを示す背面斜視図である。
【図２１】着用者の足首および足へのアンクルサポートの取付けを示す平断面図である。
【図２２】着用者の足首および足へのアンクルサポートの取付けを示す底面図である。
【図２３】着用者の足首および足へのアンクルサポートの取付けを示す側面図である。
【図２４】アンクルサポートのスパッツの実施形態の底面図である。
【図２５】アンクルサポートのスパッツの実施形態の側面図である。
【図２６】アンクルサポートの面ファスナを覆い、貫通したモールドの詳細平面図である。
【図２７】アンクルサポートの面ファスナを覆い、貫通したモールドの詳細平面図である。
【図２８】アンクルサポートの面ファスナを覆い、貫通したモールドの詳細平面図である。
【図２９】アンクルサポートの代替のスパッツの実施形態の分解斜視図である。
【図３０】履き物の一部として構築されたアンクルサポートの実施形態の斜視図である。
【図３１】履き物の一部として構築されたアンクルサポートの実施形態の斜視図である。
【図３２】履き物の一部として構築されたアンクルサポートの実施形態の斜視図である。
【図３３】履き物の一部として構築されたアンクルサポートの実施形態の斜視図である。
【図３４】フットベース（foot base）およびＣ字形ばねを用いて構築されたアンクルサポートの実施形態の側面図である。
【発明を実施するための形態】
【００１６】
実施形態の説明
[0015]図を参照すると、本発明の実施形態によるアンクルサポート１０は、通常、足首の外果および内果の上で隣接して、または外果および内果の上で部分的に重なって着用されるように構成された後部導入式アンクルカフ１２と、アンクルカフ１２から前方および下方に延びる、踵開放型、踝開放型およびつま先開放型の中足部材１４とを含む。中足部材１４は、それぞれ外果および内果の前で、アンクルカフ１２から前方および下方に延びる外側部材１６および内側部材１８を含むことができる。中足部材１４の少なくとも一部分は、着用者の足の、または着用者の足のまわりの上部中足部分に隣接して着用されるように構成され得る。隆起部１９は、靴のタンの裏面を把持するために、中足部分１４の前方上部部分２１に設けられ得る。
【００１７】
[0016]外側部材１６および内側部材１８は、外果および内果の下で後方に、足首の足の踵に向かってさらに延びることができる。穴１７は、通気のために、または踵キャップもしくはＣ字形ばね（図示せず）などの任意選択的なモジュール部品をポスト−穴式に連結するための取付穴として使用するために、外側部材１６および内側部材１８の後方部分を貫通して設けられ得る。外側部材１６および内側部材１８の一方または両方の下部中足部分２０、２２は、足の踵と第５中足骨との間の足の土踏まずを囲んでかつ土踏まずの下に延びて、互いに調整可能、解放可能に連結できるように構成され得る。内側部材１８の下部中足部分２０の下部前端部分２３は、第５中足骨に当接し、および／または第５中足骨に隣接して固定されるように構成され得る。外側部材１６および内側部材１８の下部中足部分２０、２２は、靴の中の足の下において、ソックスを覆って、調整可能、解放可能に連結することができ得る。
【００１８】
[0017]図９を参照すると、外側および内側部材は、外側部材１６および内側部材１８の下部中足部分２０、２２のそれぞれの重なり端に型成形された相補的な扁平型面ファスナストリップ２４、２６によって、互いに調整可能、解放可能に連結することができ得る。外側部材１６および内側部材１８の下部中足部分２０、２２は、足の下において、様々な足のサイズ、形状、幅、および土踏まずの高さに柔軟に対処する種々の重なった関係で、互いに調整可能、解放可能に連結することができる。図４および図８に最もよく示すように、外側部材１６の下部中足部分２０を貫通するスロット２８を設けることができ、内側部材１８の下部中足部分にプルタブ３０を設けることができ、使用時、スロット２８を通してプルタブ３０を引っ張ることで、外側部材１６に押し当てた内側部材１８に調整可能な張力がかかる。当然のことながら、外側部材１６および内側部材１８でのスロットおよびプルタブの配置は、逆にすることができる。スロット２８およびプルタブ３０によって形成された張力機構は、中足部材１４が、着用者の中足の土踏まずに確実に固定され、土踏まずの下で心地よくなじむのを可能にする。プルタブ３０は、恒久的なものとすることができ、または任意選択的に最初に張力をかけた後、犠牲的に内側部材１８から切り取るか、または折り取ることもできる。
【００１９】
[0018]アンクルカフ１２および中足部材１４は、一体の一部品構成を有し得る。例えば、アンクルカフ１２および中足部材１４は、弾性変形可能なポリマー材料で一緒に一体成形され得る。弾性変形可能なポリマー材料は、例えば、Skythane（商標）またはEstane（商標）などの熱可塑性ウレタン（ＴＰＵ）とすることができる。大きい弾性係数を有する、他の均等なまたは代替の弾性変形可能なポリマー材料を使用することもできる。
【００２０】
[0019]図２６〜２８を参照すると、扁平型面ファスナストリップ２４、２６は、面ファスナストリップ２４、２６のそれぞれの縁部に隣接する、離間した貫通穴２８を型抜きすることで、下部中足部分２０、２２のそれぞれの端部に型成形され得る。下部中足部分２０、２２を形成するように型成形される弾性変形可能なポリマー材料は、相互連結されるスルーおよびオーバモールドの格子（または交絡構造もしくはパターン）を形成するための離間した貫通穴２８を通じて、同時に射出成形され得、このスルーおよびオーバモールドは、面ファスナストリップ２４、２６を下部中足部分２０、２２のそれぞれの端部に確実に固定する。面ファスナストリップ２４、２６を下部中足部分２０、２２のそれぞれの端部に型成形するために、面ファスナストリップ２４、２６をスルーおよびオーバモールドする他の均等なまたは代替の方法を使用することもできる。
【００２１】
[0020]アンクルサポート１０は、アンクルカフ１２の内面と、外側部材１６および内側部材１８の上部内面とに接着されたパッド３０をさらに含むことができる。パッド３０は、例えば、ＥＶＡ（エチレンビニルアセテートコポリマー）発泡体を含むことができる。他の均等なまたは代替のパッド材料を使用することもできる。アンクルサポート１０は、外側部材１６および内側部材１８の下部内面に重なるように、パッド３０から下方に延びる自由浮動足元ライナ３２をさらに含むことができる。ライナ３２は、パッド３０に接着され得、および／または縫い付けられ得る。ライナ３２は、例えば、ネオプレンを含むことができる。他の均等なまたは代替のライナ材料を使用することもできる。
【００２２】
[0021]アンクルサポート１０は、外側アンカーポスト３６および内側アンカーポスト３８によって、アンクルカフ１２に取り外し可能、通し可能に連結される調整ストラップ３４をさらに含むことができる。外側アンカーポスト３６および内側アンカーポスト３８は、圧入によって、それぞれアンクルカフ１２の外側部分および内側部分に取り付けられ得る。例えば、外側アンカーポスト３６は、アンクルカフ１２の外側部分に設けられた貫通穴４２に圧入するヘッド付きポスト４０を含むことができる。内側アンカーポスト３８は、アンクルカフ１２の内側部分に設けられた内部凹部４４に嵌め込み、切り抜き部４６に通して圧入され得る。外側アンカーポスト３６および内側アンカーポスト３８は、アンクルカフ１２のＴＰＵよりも相対的に剛性が高いポリマー材料で型成形され得る。例えば、外側アンカーポスト３６および内側アンカーポスト３８は、ナイロンまたはポリプロピレンで型成形され得る。
【００２３】
[0022]図２０および図２１は、アンクルカフ１２の調整ストラップ３４の調整を示している。調整ストラップ３４を外側アンカーポスト３６および内側アンカーポスト３８に通し、外側アンカーポスト３６および内側アンカーポスト３８に当てて張力をかけることができ、次いで、アンクルカフ１２の内側部分の外面に重なるように折り返すことができる。調整ストラップ３４の一端は、離間した相補的な扁平型面ファスナストリップを有することができ、これらの面ファスナストリップは係合して、内側アンカーポスト３６を囲んで固定される。相補的な扁平型面ファスナストリップは、それぞれカフ調整ストラップ３４の他方の自由端と、アンクルカフ１２の内側部分の外面とに設けられ得る。
【００２４】
[0023]図１２〜１９は、使用時に、足首の怪我を防止および／または治療するために、アンクルサポート１０が足首を機能的に支持することができ、その一方で、さらに底屈および背屈ならびに内反および外反における足首の自然な動き度を大幅に高めることを示している。任意の特定の理論に束縛されることを意図するものではないが、アンクルカフ１２と、中足部材１４の内側部材および外側部材１６、１８とは、足関節の主要靱帯を支持および保護するために、受動的な反対／抵抗トルクを発生させると考えられる。例えば、前距腓靱帯（ＡＴＦＬ）は、腓骨の外果から出て距骨の外側面に入る。さらに、踵腓靱帯（ＣＦＬ）は、腓骨の外果から出て踵骨の外側面に入る。純粋な内反の場合、アンクルサポート１０には、ＣＦＬに負荷がかかった結果として作用するものと同様である、回転軸のまわりに作用する反トルクを発生させる張力がかかり得る。底屈および内反が組み合わさった場合、アンクルサポート１０には、ＡＴＦＬに負荷がかかった結果として作用するものと同様である、回転軸のまわりに作用する反トルクを発生させる張力がかかり得る。
【００２５】
[0024]さらに、アンクルサポート１０は、ＡＴＦＬと、程度は低いがＣＦＬとの動きを間接的に再現するための別の負荷経路をもたらすことができると考えられる。アンクルサポート１０は、足全体が下脚に対して回転できる範囲を制限することにより、これを実現することができる。足首が内反状態になると、アンクルサポート１０の外側前部領域にわたるウレタンシェルには、引張り応力がかかる。この引張り応力により、アンクルカフ１２は下方に引っ張られ、踝の上で静止することができる。その間に、アンクルサポート１０の靴内部分は、足の第５中足骨領域を捕捉して、傷害性の足首内反を引き起こす外力とは反対に作用する抵抗トルクを発生させる。この反トルクは、全体として、足関節の内反レート（inversion rate）を低くするように作用することができ、それにより、内反角が小さくなる。内反レートおよび内反角を小さくすることで、足関節の骨、特に、距骨および踵骨の回転量が減る。これは、これらの骨を下脚の腓骨および脛骨に連結する靱帯が受ける歪みの大きさを小さくすることができる。これは、結果として、これらの靱帯が損傷する可能性を低くすることができる。内反時に（つま先を下に向ける）底屈の程度が高くなるほど、アンクルサポート１０が受ける引張り応力は高くなり、反トルクも高くなる。
【００２６】
[0025]さらに、上記のアンクルサポート１０による第５中足骨の捕捉に関して、足の前部および外側面にわたるパッドおよびライナは、２つの目的を果たすために、負荷がかかった皮膚を圧迫することができる。第１に、この圧迫は、アンクルサポート１０と着用者の皮膚との間の剪断力を伝達する能力を高めることにより、アンクルサポート１０と足との間のスリップを防止することができる。これはまた、外部内反力とは反対方向のトルクを増大させる正味の効果を及ぼすことができる。第２に、圧迫は、アンクルサポート１０が内反に抗していると着用者が感じることができるように、足関節の広い面にわたって小さい圧力を発生させることができる。内反角が大きいほど、圧力は高い。これは、結果として、着用者が足首の向きを知るためのフィードバックを強化することで、着用者の固有受容能力に寄与することができる。これは、結果として、着用者が、より強力な足関節筋の連係を通じて、足首の動きをより良好に調整することを可能にし、それにより、足首の怪我の可能性を低くすることができる。足首の怪我を減らす、かつ／または治療するための、他の均等なまたは代替の生体力学的作用機構をアンクルサポート１０によって実現することもできる。
【００２７】
[0026]図１０、図１１、図２４、および図２５は、滑り止め付き運動靴用のスパッツとして実施できるアンクルサポート１０の別の実施形態を示している。アンクルサポート１０のこの靴覆いスパッツの実施形態は、上記に説明した前の靴内実施形態と同じ一般構成要素および構成を有することができる。例外として、外側部材１６および内側部材１８の下部中足部分は、いずれも足の内側で靴４８の外に、互いに調整可能、解放可能に連結することができ得る。さらに、外側および内側部材の後方部分は、踵のまわりに延びるヒールストラップ５０によって、互いに解放可能、調整可能に連結され得る。さらに、自由浮動足元ライナ３２が省略されている。図２５に最もよく示すように、外側部材１６の下部中足部分は、内側部材１８の下部中足部分に重なるように、後部クリートの前で下方に靴４８の足元部分の下およびまわりに延びることができる。外側部材１６および内側部材１８の重なり端は、相補的な扁平型面ファスナストリップによって、靴の内側で互いに解放可能、調整可能に連結され得る。さらに、ヒールストラップ５０も、相補的な扁平型面ファスナストリップによって、靴の内側で外側部材１６および内側部材１８に解放可能、調整可能に連結され得る。この実施形態では、スロットおよびプルタブによる張力機構２８、３０は、アンクルサポート１０の内側に設けられ得る。靴を覆う外側および内側部材の一方または両方の下部部分は、靴５０上の商標または表示物が、外から下部部分を介して見えるのを可能にするように、全体的にまたは部分的に透明とすることができる。
【００２８】
[0027]図２９は、アンクルサポート１０の代替スパッツの実施形態を示しており、この実施形態では、中足部材１４の内側部材および外側部材１６、１８は、靴の外側および内側の相補的な扁平型面ファスナによって、分離した足元部５２に解放可能、調整可能に連結することができ得る。足元部５２は、ヒールストラップ５０によって相互連結された内側部分および外側部分を含むことができる。切抜き部は、靴４８の後部クリートを囲むように、足元部５２に設けられ得る。アンクルサポート１０の他の均等なまたは代替のスパッツの実施形態を使用することもできる。
【００２９】
[0028]図３０〜３４は、アンクルサポート１０の他の実施形態が、靴およびブーツなどのスポーツ用、仕事用、および普段用の履き物と一体化することができるか、または直接的もしくは間接的に連結され得ることを示している。例えば、図３０は、中足部材１４が、矯正用靴の中敷き、中底、もしくはフットベッド（footbed）５４に連結されるか、またはこれを組み込まれたアンクルサポート１０の実施形態を示している。他の履き物の実施形態では、アンクルサポート１０の中足部材１４は、図３１に示すように、靴４８の上部の外側および内側に直接的または間接的に連結され得る。靴の上部が、編み布または織布構成を有する場合、アンクルサポート１０も、靴の上部に一体に編み込まれるか、または織り込まれる編み布または織布構成を有し得る。さらに加えて、またはこれに代えて、アンクルサポート１０は、仕上がった靴の上部の一体要素になるように、縫合、膠付け、融着、または接着によって、靴の上部に取り付けられ得る。
【００３０】
[0029]図３２は、アンクルサポート１０の中足部材１４が、靴４８のタンを一体で形成できるか、またはタンに直接的もしくは間接的に連結され得ることを示している。例えば、図３３は、アンクルサポート１０が、靴タンと靴紐２８との間または靴タンの下に挿入できる独立型の靴タン挿入物として具現化できることを示している。この実施形態では、アンクルカフ１２および中足部分１４は、弾性外骨格５６によって補強され得る。弾性外骨格５６は、ポスト−穴式連結５８によって、アンクルカフ１２および中足部分１４に取り外し可能に連結され得る。例えば、アンクルカフ１２を貫通して設けられた穴に圧入するポストを弾性外骨格５６に設けることができる。弾性外骨格は、アンクルカフ１２および中足部材１４のＴＰＵよりも相対的に剛性が高い、例えば、ナイロンまたはポリプロピレンなどのポリマー材料で型成形され得る。
【００３１】
[0030]図３４は、前方に湾曲した弾性Ｃ字形ばね６２の対によって、アンクルカフ１２から弾性的に懸架された剛性または半剛性のフットベース６０を組み込んだアンクルサポート１０のさらなる実施形態を示している。Ｃ字形ばね６２は、ポスト−穴式連結５８によって、アンクルカフ１２に取り外し可能に連結され得る。例えば、アンクルカフ１２を貫通して設けられた穴に圧入するポストをＣ字形ばね６２に設けることができる。Ｃ字形ばね６２の使用については、その全体を本明細書に援用される、本出願人による国際公開第２０１３／１８８９１５号でさらに詳細に説明されている。
【００３２】
[0031]本発明の実施形態は、足首の怪我を防止および／または治療するために、日常の使用に有用である、改善された自然の動きおよび快適性を機能性アンクルサポートに付与する。
【００３３】
[0032]本明細書において、「含んでいる」という文言は、「含んでいるがそれに限定されない」ことを意味し、「含む」という文言は、相当する意味を有する。
【００３４】
[0033]実施形態が単なる例として説明されたが、以下の特許請求の範囲内において修正形態が可能である。
【図１】
2017521145.tif 000003
【図２】
2017521145.tif 000004
【図３】
2017521145.tif 000005
【図４】
2017521145.tif 000006
【図５】
2017521145.tif 000007
【図６】
2017521145.tif 000008
【図７】
2017521145.tif 000009
【図８】
2017521145.tif 000010
【図９】
2017521145.tif 000011
【図１０】
2017521145.tif 000012
【図１１】
2017521145.tif 000013
【図１２−１３】
2017521145.tif 000014
【図１４−１５】
2017521145.tif 000015
【図１６−１７】
2017521145.tif 000016
【図１８】
2017521145.tif 000017
【図１９】
2017521145.tif 000018
【図２０】
2017521145.tif 000019
【図２１】
2017521145.tif 000020
【図２２】
2017521145.tif 000021
【図２３】
2017521145.tif 000022
【図２４】
2017521145.tif 000023
【図２５】
2017521145.tif 000024
【図２６】
2017521145.tif 000025
【図２７】
2017521145.tif 000026
【図２８】
2017521145.tif 000027
【図２９】
2017521145.tif 000028
【図３０】
2017521145.tif 000029
【図３１】
2017521145.tif 000030
【図３２】
2017521145.tif 000031
【図３３】
2017521145.tif 000032
【図３４】
2017521145.tif 000033
【手続補正書】
【提出日】平成29年2月9日(2017.2.9)
【手続補正１】
【補正対象書類名】特許請求の範囲
【補正対象項目名】全文
【補正方法】変更
【補正の内容】
【特許請求の範囲】
【請求項１】
足首の外果および内果の上で隣接して着用されるように構成された後部導入式アンクルカフと、
前記アンクルカフから前方および下方に延びる、踵開放型、踝開放型およびつま先開放型の中足部材と
を含むアンクルブレースであって、
前記アンクルカフおよび前記中足部材は、一体の一部品構成を有し、
前記アンクルカフは、前記外果および前記内果の上で後方に延び、
前記中足部材は、前記外果および前記内果の下で後方に延び、
前記アンクルカフおよび前記中足部材は、前記外果および前記内果の全周にわたって、または前記外果および前記内果を完全に覆って延びず、そのため、使用時に、前記外果および前記内果は、完全に囲まれないか、または覆われない、アンクルブレース。
【請求項２】
前記アンクルカフおよび前記中足部材は、弾性変形可能なポリマー材料で一緒に一体成形される、請求項１に記載のアンクルブレース。
【請求項３】
前記弾性変形可能なポリマー材料は、熱可塑性ポリウレタン（ＴＰＵ）である、請求項２に記載のアンクルブレース。
【請求項４】
前記アンクルカフの内面と、前記中足部材の上部内面とに接着されたパッドをさらに含む、請求項１に記載のアンクルブレース。
【請求項５】
前記パッドは、ＥＶＡ（エチレンビニルアセテートコポリマー）発泡体を含む、請求項４に記載のアンクルブレース。
【請求項６】
前記中足部材の下部内面に重なるように、前記パッドから下方に延びる自由浮動ライナをさらに含む、請求項４に記載のアンクルブレース。
【手続補正２】
【補正対象書類名】明細書
【補正対象項目名】全文
【補正方法】変更
【補正の内容】
【発明の詳細な説明】
【技術分野】
【０００１】
分野
[0001]本発明は、動きおよび快適性が改善された機能性アンクルサポートに関する。
【背景技術】
【０００２】
背景
[0002]足の内方（内反）または外方（外反）回転による足首の捻挫は、最もよくあるタイプの筋骨格外傷である。足首を捻挫した多くの人は、続いて、足首が慢性的に不安定になる。
【０００３】
[0003]従来の機能性アンクルサポートには様々な欠点がある。怪我後に付けるスターラップ（stirrup）および編み上げアンクルブレースは、足関節および足の自然な動きを制限し、したがって、スポーツにおける運動能力を低下させる。さらに、怪我後に付けるスターラップおよび編み上げアンクルブレースは使い心地が悪く、そのため、足首の怪我を治療するために、通常、短期間の間のみ着用される。したがって、従来のアンクルブレースは、足首を機能的に支持するが、自然な動きおよび快適性を犠牲にする。その結果、従来のアンクルブレースは、スポーツおよび他の活動での足首の怪我を防止するために、日常の保護具として着用するのに通常適さない。
【発明の概要】
【発明が解決しようとする課題】
【０００４】
[0004]これに関連して、自然な動きおよび快適性を犠牲にすることなく、足首を機能的に支持するアンクルブレースが必要である。
【課題を解決するための手段】
【０００５】
概要
[0005]本発明によれば、
足首の外果および内果の上で隣接して着用されるように構成された後部導入式アンクルカフと、
前記アンクルカフから前方および下方に延びる、踵開放型、踝開放型およびつま先開放型の中足部材と
を含むアンクルブレースであって、
前記アンクルカフおよび前記中足部材は、一体の一部品構成を有し、
前記アンクルカフは、前記外果および前記内果の上で後方に延び、
前記中足部材は、前記外果および前記内果の下で後方に延び、
前記アンクルカフおよび前記中足部材は、前記外果および前記内果の全周にわたって、または前記外果および前記内果を完全に覆って延びず、そのため、使用時に、前記外果および前記内果は、完全に囲まれないか、または覆われない、アンクルブレースが提供される。
【０００６】
図面の簡単な説明
[0014]本発明の実施形態が、添付図面を参照して単なる一例として以下に説明される。
【図面の簡単な説明】
【０００７】
【図１】本発明の実施形態によるアンクルサポートの正面斜視図である。
【図２】本発明の実施形態によるアンクルサポートの分解斜視図である。
【図３】アンクルサポートの端面図である。
【図４】アンクルサポートの側面図である。
【図５】アンクルサポートの端面図である。
【図６】アンクルサポートの側面図である。
【図７】アンクルサポートの平面図である。
【図８】アンクルサポートの底面図である。
【図９】平らに広げた状態のアンクルサポートの内部の平面図である。
【図１０】靴用のスパッツとして構築されたアンクルサポートの正面斜視図である。
【図１１】靴用のスパッツとして構築されたアンクルサポートの分解斜視図である。
【図１２】使用時の第１の位置におけるアンクルサポートの端面図である。
【図１３】使用時の第１の位置におけるアンクルサポートの側面図である。
【図１４】使用時の第２の位置におけるアンクルサポートの端面図である。
【図１５】使用時の第２の位置におけるアンクルサポートの側面図である。
【図１６】使用時の第３の位置におけるアンクルサポートの端面図である。
【図１７】使用時の第３の位置におけるアンクルサポートの側面図である。
【図１８】使用時の第４の位置におけるアンクルサポートの端面図である。
【図１９】使用時の第４の位置におけるアンクルサポートの正面図である。
【図２０】着用者の足首および足へのアンクルサポートの取付けを示す背面斜視図である。
【図２１】着用者の足首および足へのアンクルサポートの取付けを示す平断面図である。
【図２２】着用者の足首および足へのアンクルサポートの取付けを示す底面図である。
【図２３】着用者の足首および足へのアンクルサポートの取付けを示す側面図である。
【図２４】アンクルサポートのスパッツの実施形態の底面図である。
【図２５】アンクルサポートのスパッツの実施形態の側面図である。
【図２６】アンクルサポートの面ファスナを覆い、貫通したモールドの詳細平面図である。
【図２７】アンクルサポートの面ファスナを覆い、貫通したモールドの詳細平面図である。
【図２８】アンクルサポートの面ファスナを覆い、貫通したモールドの詳細平面図である。
【図２９】アンクルサポートの代替のスパッツの実施形態の分解斜視図である。
【図３０】履き物の一部として構築されたアンクルサポートの実施形態の斜視図である。
【図３１】履き物の一部として構築されたアンクルサポートの実施形態の斜視図である。
【図３２】履き物の一部として構築されたアンクルサポートの実施形態の斜視図である。
【図３３】履き物の一部として構築されたアンクルサポートの実施形態の斜視図である。
【図３４】フットベース（foot base）およびＣ字形ばねを用いて構築されたアンクルサポートの実施形態の側面図である。
【発明を実施するための形態】
【０００８】
実施形態の説明
[0015]図を参照すると、本発明の実施形態によるアンクルサポート１０は、通常、足首の外果および内果の上で隣接して、または外果および内果の上で部分的に重なって着用されるように構成された後部導入式アンクルカフ１２と、アンクルカフ１２から前方および下方に延びる、踵開放型、踝開放型およびつま先開放型の中足部材１４とを含む。中足部材１４は、それぞれ外果および内果の前で、アンクルカフ１２から前方および下方に延びる外側部材１６および内側部材１８を含むことができる。中足部材１４の少なくとも一部分は、着用者の足の、または着用者の足のまわりの上部中足部分に隣接して着用されるように構成され得る。隆起部１９は、靴のタンの裏面を把持するために、中足部分１４の前方上部部分２１に設けられ得る。
【０００９】
[0016]外側部材１６および内側部材１８は、外果および内果の下で後方に、足首の足の踵に向かってさらに延びることができる。穴１７は、通気のために、または踵キャップもしくはＣ字形ばね（図示せず）などの任意選択的なモジュール部品をポスト−穴式に連結するための取付穴として使用するために、外側部材１６および内側部材１８の後方部分を貫通して設けられ得る。外側部材１６および内側部材１８の一方または両方の下部中足部分２０、２２は、足の踵と第５中足骨との間の足の土踏まずを囲んでかつ土踏まずの下に延びて、互いに調整可能、解放可能に連結できるように構成され得る。内側部材１８の下部中足部分２０の下部前端部分２３は、第５中足骨に当接し、および／または第５中足骨に隣接して固定されるように構成され得る。外側部材１６および内側部材１８の下部中足部分２０、２２は、靴の中の足の下において、ソックスを覆って、調整可能、解放可能に連結することができ得る。
【００１０】
[0017]図９を参照すると、外側および内側部材は、外側部材１６および内側部材１８の下部中足部分２０、２２のそれぞれの重なり端に型成形された相補的な扁平型面ファスナストリップ２４、２６によって、互いに調整可能、解放可能に連結することができ得る。外側部材１６および内側部材１８の下部中足部分２０、２２は、足の下において、様々な足のサイズ、形状、幅、および土踏まずの高さに柔軟に対処する種々の重なった関係で、互いに調整可能、解放可能に連結することができる。図４および図８に最もよく示すように、外側部材１６の下部中足部分２０を貫通するスロット２８を設けることができ、内側部材１８の下部中足部分にプルタブ１３０を設けることができ、使用時、スロット２８を通してプルタブ１３０を引っ張ることで、外側部材１６に押し当てた内側部材１８に調整可能な張力がかかる。当然のことながら、外側部材１６および内側部材１８でのスロットおよびプルタブの配置は、逆にすることができる。スロット２８およびプルタブ１３０によって形成された張力機構は、中足部材１４が、着用者の中足の土踏まずに確実に固定され、土踏まずの下で心地よくなじむのを可能にする。プルタブ１３０は、恒久的なものとすることができ、または任意選択的に最初に張力をかけた後、犠牲的に内側部材１８から切り取るか、または折り取ることもできる。
【００１１】
[0018]アンクルカフ１２および中足部材１４は、一体の一部品構成を有し得る。例えば、アンクルカフ１２および中足部材１４は、弾性変形可能なポリマー材料で一緒に一体成形され得る。弾性変形可能なポリマー材料は、例えば、Skythane（商標）またはEstane（商標）などの熱可塑性ウレタン（ＴＰＵ）とすることができる。大きい弾性係数を有する、他の均等なまたは代替の弾性変形可能なポリマー材料を使用することもできる。
【００１２】
[0019]図２６〜２８を参照すると、扁平型面ファスナストリップ２４、２６は、面ファスナストリップ２４、２６のそれぞれの縁部に隣接する、離間した貫通穴２８を型抜きすることで、下部中足部分２０、２２のそれぞれの端部に型成形され得る。下部中足部分２０、２２を形成するように型成形される弾性変形可能なポリマー材料は、相互連結されるスルーおよびオーバモールドの格子（または交絡構造もしくはパターン）を形成するための離間した貫通穴２８を通じて、同時に射出成形され得、このスルーおよびオーバモールドは、面ファスナストリップ２４、２６を下部中足部分２０、２２のそれぞれの端部に確実に固定する。面ファスナストリップ２４、２６を下部中足部分２０、２２のそれぞれの端部に型成形するために、面ファスナストリップ２４、２６をスルーおよびオーバモールドする他の均等なまたは代替の方法を使用することもできる。
【００１３】
[0020]アンクルサポート１０は、アンクルカフ１２の内面と、外側部材１６および内側部材１８の上部内面とに接着されたパッド３０をさらに含むことができる。パッド３０は、例えば、ＥＶＡ（エチレンビニルアセテートコポリマー）発泡体を含むことができる。他の均等なまたは代替のパッド材料を使用することもできる。アンクルサポート１０は、外側部材１６および内側部材１８の下部内面に重なるように、パッド３０から下方に延びる自由浮動足元ライナ３２をさらに含むことができる。ライナ３２は、パッド３０に接着され得、および／または縫い付けられ得る。ライナ３２は、例えば、ネオプレンを含むことができる。他の均等なまたは代替のライナ材料を使用することもできる。
【００１４】
[0021]アンクルサポート１０は、外側アンカーポスト３６および内側アンカーポスト３８によって、アンクルカフ１２に取り外し可能、通し可能に連結される調整ストラップ３４をさらに含むことができる。外側アンカーポスト３６および内側アンカーポスト３８は、圧入によって、それぞれアンクルカフ１２の外側部分および内側部分に取り付けられ得る。例えば、外側アンカーポスト３６は、アンクルカフ１２の外側部分に設けられた貫通穴４２に圧入するヘッド付きポスト４０を含むことができる。内側アンカーポスト３８は、アンクルカフ１２の内側部分に設けられた内部凹部４４に嵌め込み、切り抜き部４６に通して圧入され得る。外側アンカーポスト３６および内側アンカーポスト３８は、アンクルカフ１２のＴＰＵよりも相対的に剛性が高いポリマー材料で型成形され得る。例えば、外側アンカーポスト３６および内側アンカーポスト３８は、ナイロンまたはポリプロピレンで型成形され得る。
【００１５】
[0022]図２０および図２１は、アンクルカフ１２の調整ストラップ３４の調整を示している。調整ストラップ３４を外側アンカーポスト３６および内側アンカーポスト３８に通し、外側アンカーポスト３６および内側アンカーポスト３８に当てて張力をかけることができ、次いで、アンクルカフ１２の内側部分の外面に重なるように折り返すことができる。調整ストラップ３４の一端は、離間した相補的な扁平型面ファスナストリップを有することができ、これらの面ファスナストリップは係合して、内側アンカーポスト３６を囲んで固定される。相補的な扁平型面ファスナストリップは、それぞれカフ調整ストラップ３４の他方の自由端と、アンクルカフ１２の内側部分の外面とに設けられ得る。
【００１６】
[0023]図１２〜１９は、使用時に、足首の怪我を防止および／または治療するために、アンクルサポート１０が足首を機能的に支持することができ、その一方で、さらに底屈および背屈ならびに内反および外反における足首の自然な動き度を大幅に高めることを示している。任意の特定の理論に束縛されることを意図するものではないが、アンクルカフ１２と、中足部材１４の内側部材および外側部材１６、１８とは、足関節の主要靱帯を支持および保護するために、受動的な反対／抵抗トルクを発生させると考えられる。例えば、前距腓靱帯（ＡＴＦＬ）は、腓骨の外果から出て距骨の外側面に入る。さらに、踵腓靱帯（ＣＦＬ）は、腓骨の外果から出て踵骨の外側面に入る。純粋な内反の場合、アンクルサポート１０には、ＣＦＬに負荷がかかった結果として作用するものと同様である、回転軸のまわりに作用する反トルクを発生させる張力がかかり得る。底屈および内反が組み合わさった場合、アンクルサポート１０には、ＡＴＦＬに負荷がかかった結果として作用するものと同様である、回転軸のまわりに作用する反トルクを発生させる張力がかかり得る。
【００１７】
[0024]さらに、アンクルサポート１０は、ＡＴＦＬと、程度は低いがＣＦＬとの動きを間接的に再現するための別の負荷経路をもたらすことができると考えられる。アンクルサポート１０は、足全体が下脚に対して回転できる範囲を制限することにより、これを実現することができる。足首が内反状態になると、アンクルサポート１０の外側前部領域にわたるウレタンシェルには、引張り応力がかかる。この引張り応力により、アンクルカフ１２は下方に引っ張られ、踝の上で静止することができる。その間に、アンクルサポート１０の靴内部分は、足の第５中足骨領域を捕捉して、傷害性の足首内反を引き起こす外力とは反対に作用する抵抗トルクを発生させる。この反トルクは、全体として、足関節の内反レート（inversion rate）を低くするように作用することができ、それにより、内反角が小さくなる。内反レートおよび内反角を小さくすることで、足関節の骨、特に、距骨および踵骨の回転量が減る。これは、これらの骨を下脚の腓骨および脛骨に連結する靱帯が受ける歪みの大きさを小さくすることができる。これは、結果として、これらの靱帯が損傷する可能性を低くすることができる。内反時に（つま先を下に向ける）底屈の程度が高くなるほど、アンクルサポート１０が受ける引張り応力は高くなり、反トルクも高くなる。
【００１８】
[0025]さらに、上記のアンクルサポート１０による第５中足骨の捕捉に関して、足の前部および外側面にわたるパッドおよびライナは、２つの目的を果たすために、負荷がかかった皮膚を圧迫することができる。第１に、この圧迫は、アンクルサポート１０と着用者の皮膚との間の剪断力を伝達する能力を高めることにより、アンクルサポート１０と足との間のスリップを防止することができる。これはまた、外部内反力とは反対方向のトルクを増大させる正味の効果を及ぼすことができる。第２に、圧迫は、アンクルサポート１０が内反に抗していると着用者が感じることができるように、足関節の広い面にわたって小さい圧力を発生させることができる。内反角が大きいほど、圧力は高い。これは、結果として、着用者が足首の向きを知るためのフィードバックを強化することで、着用者の固有受容能力に寄与することができる。これは、結果として、着用者が、より強力な足関節筋の連係を通じて、足首の動きをより良好に調整することを可能にし、それにより、足首の怪我の可能性を低くすることができる。足首の怪我を減らす、かつ／または治療するための、他の均等なまたは代替の生体力学的作用機構をアンクルサポート１０によって実現することもできる。
【００１９】
[0026]図１０、図１１、図２４、および図２５は、滑り止め付き運動靴用のスパッツとして実施できるアンクルサポート１０の別の実施形態を示している。アンクルサポート１０のこの靴覆いスパッツの実施形態は、上記に説明した前の靴内実施形態と同じ一般構成要素および構成を有することができる。例外として、外側部材１６および内側部材１８の下部中足部分は、いずれも足の内側で靴４８の外に、互いに調整可能、解放可能に連結することができ得る。さらに、外側および内側部材の後方部分は、踵のまわりに延びるヒールストラップ５０によって、互いに解放可能、調整可能に連結され得る。さらに、自由浮動足元ライナ３２が省略されている。図２５に最もよく示すように、外側部材１６の下部中足部分は、内側部材１８の下部中足部分に重なるように、後部クリートの前で下方に靴４８の足元部分の下およびまわりに延びることができる。外側部材１６および内側部材１８の重なり端は、相補的な扁平型面ファスナストリップによって、靴の内側で互いに解放可能、調整可能に連結され得る。さらに、ヒールストラップ５０も、相補的な扁平型面ファスナストリップによって、靴の内側で外側部材１６および内側部材１８に解放可能、調整可能に連結され得る。この実施形態では、スロットおよびプルタブによる張力機構２８、１３０は、アンクルサポート１０の内側に設けられ得る。靴を覆う外側および内側部材の一方または両方の下部部分は、靴５０上の商標または表示物が、外から下部部分を介して見えるのを可能にするように、全体的にまたは部分的に透明とすることができる。
【００２０】
[0027]図２９は、アンクルサポート１０の代替スパッツの実施形態を示しており、この実施形態では、中足部材１４の内側部材および外側部材１６、１８は、靴の外側および内側の相補的な扁平型面ファスナによって、分離した足元部５２に解放可能、調整可能に連結することができ得る。足元部５２は、ヒールストラップ５０によって相互連結された内側部分および外側部分を含むことができる。切抜き部は、靴４８の後部クリートを囲むように、足元部５２に設けられ得る。アンクルサポート１０の他の均等なまたは代替のスパッツの実施形態を使用することもできる。
【００２１】
[0028]図３０〜３４は、アンクルサポート１０の他の実施形態が、靴およびブーツなどのスポーツ用、仕事用、および普段用の履き物と一体化することができるか、または直接的もしくは間接的に連結され得ることを示している。例えば、図３０は、中足部材１４が、矯正用靴の中敷き、中底、もしくはフットベッド（footbed）５４に連結されるか、またはこれを組み込まれたアンクルサポート１０の実施形態を示している。他の履き物の実施形態では、アンクルサポート１０の中足部材１４は、図３１に示すように、靴４８の上部の外側および内側に直接的または間接的に連結され得る。靴の上部が、編み布または織布構成を有する場合、アンクルサポート１０も、靴の上部に一体に編み込まれるか、または織り込まれる編み布または織布構成を有し得る。さらに加えて、またはこれに代えて、アンクルサポート１０は、仕上がった靴の上部の一体要素になるように、縫合、膠付け、融着、または接着によって、靴の上部に取り付けられ得る。
【００２２】
[0029]図３２は、アンクルサポート１０の中足部材１４が、靴４８のタンを一体で形成できるか、またはタンに直接的もしくは間接的に連結され得ることを示している。例えば、図３３は、アンクルサポート１０が、靴タンと靴紐２８との間または靴タンの下に挿入できる独立型の靴タン挿入物として具現化できることを示している。この実施形態では、アンクルカフ１２および中足部分１４は、弾性外骨格５６によって補強され得る。弾性外骨格５６は、ポスト−穴式連結５８によって、アンクルカフ１２および中足部分１４に取り外し可能に連結され得る。例えば、アンクルカフ１２を貫通して設けられた穴に圧入するポストを弾性外骨格５６に設けることができる。弾性外骨格は、アンクルカフ１２および中足部材１４のＴＰＵよりも相対的に剛性が高い、例えば、ナイロンまたはポリプロピレンなどのポリマー材料で型成形され得る。
【００２３】
[0030]図３４は、前方に湾曲した弾性Ｃ字形ばね６２の対によって、アンクルカフ１２から弾性的に懸架された剛性または半剛性のフットベース６０を組み込んだアンクルサポート１０のさらなる実施形態を示している。Ｃ字形ばね６２は、ポスト−穴式連結５８によって、アンクルカフ１２に取り外し可能に連結され得る。例えば、アンクルカフ１２を貫通して設けられた穴に圧入するポストをＣ字形ばね６２に設けることができる。Ｃ字形ばね６２の使用については、その全体を本明細書に援用される、本出願人による国際公開第２０１３／１８８９１５号でさらに詳細に説明されている。
【００２４】
[0031]本発明の実施形態は、足首の怪我を防止および／または治療するために、日常の使用に有用である、改善された自然の動きおよび快適性を機能性アンクルサポートに付与する。
【００２５】
[0032]本明細書において、「含んでいる」という文言は、「含んでいるがそれに限定されない」ことを意味し、「含む」という文言は、相当する意味を有する。
【００２６】
[0033]実施形態が単なる例として説明されたが、以下の特許請求の範囲内において修正形態が可能である。
【手続補正３】
【補正対象書類名】図面
【補正対象項目名】図１
【補正方法】変更
【補正の内容】
【図１】
2017521145.tif 000034
【手続補正４】
【補正対象書類名】図面
【補正対象項目名】図２
【補正方法】変更
【補正の内容】
【図２】
2017521145.tif 000035
【手続補正５】
【補正対象書類名】図面
【補正対象項目名】図４
【補正方法】変更
【補正の内容】
【図４】
2017521145.tif 000036
【手続補正６】
【補正対象書類名】図面
【補正対象項目名】図８
【補正方法】変更
【補正の内容】
【図８】
2017521145.tif 000037
【手続補正７】
【補正対象書類名】図面
【補正対象項目名】図２２
【補正方法】変更
【補正の内容】
【図２２】
2017521145.tif 000038
【手続補正８】
【補正対象書類名】図面
【補正対象項目名】図２４
【補正方法】変更
【補正の内容】
【図２４】
2017521145.tif 000039
【手続補正９】
【補正対象書類名】図面
【補正対象項目名】図２５
【補正方法】変更
【補正の内容】
【図２５】
2017521145.tif 000040
【国際調査報告】
2017521145.tif 000041
2017521145.tif 000042
2017521145.tif 000043